【手続補正書】
【提出日】平成17年1月24日(2005.1.24)
【手続補正１】
【補正対象書類名】明細書
【補正対象項目名】特許請求の範囲
【補正方法】変更
【補正の内容】
【特許請求の範囲】
【請求項１】
少なくとも１つの着色剤；及び
水性ビヒクル
を含んで成るコゲーションを防止し且つインクジェットペンの寿命を延ばすためのインクジェットインク組成物であって、
前記ビヒクルは、前記組成物がインクジェットペンに用いられる時、インクジェットペンの抵抗体表面の外側層に保護薄層を形成する十分な量で少なくとも１つの耐火性金属−又は貴金属−反応成分を含有し、前記外側層は耐火性金属又は貴金属を含み、前記耐火性金属又は貴金属は、チタン、ジルコニウム、ハフニウム、バナジウム、ニオブ、タンタル、クロム、モリブデン、タングステン、金、銀及び白金から成る群から選択される、インクジェットインク組成物。
【請求項２】
前記少なくとも１つの耐火性金属−又は貴金属−反応成分が、リン酸エステルを含有する、請求項１に記載のインクジェットインク組成物。
【請求項３】
前記リン酸エステルが、次の構造：
（ＲＥｘ）ｙＰＯ（４−ｙ）Ｈ（３−ｙ）
〔式中、Ｒは少なくとも８個の炭素を有する分枝炭化水素、非分枝炭化水素、又は過フルオロ化炭化水素であり；Ｅはエトキシ基(-CH２CH２O-)であり；ｘは０か又は０より大きい整数であり；及びｙは１から３の整数である〕を有する、請求項２に記載のインクジェットインク組成物。
【請求項４】
前記リン酸エステルが、前記インク組成物の0.1〜3重量％である、請求項２に記載のインクジェットインク組成物。
【請求項５】
前記リン酸エステルが、前記インク組成物の0.2〜0.5重量％である、請求項４に記載のインクジェットインク組成物。
【請求項６】
前記リン酸エステルが、前記インク組成物の0.5〜3重量％である、請求項４に記載のインクジェットインク組成物。
【請求項７】
前記抵抗体表面の外側層を被覆する前記耐火性金属又は貴金属が、タンタルである、請求項１に記載のインクジェットインク組成物。
【請求項８】
前記インクジェットペンが、1〜10ピコリットルの最小液滴容積範囲を有する、請求項１に記載のインクジェットインク組成物。
【請求項９】
前記インクジェットペンが、3〜6ピコリットルの最小液滴容積範囲を有する、請求項８に記載のインクジェットインク組成物。
【請求項１０】
前記インクジェットペンが、交換することなく、少なくとも５千万回噴射させることができる、請求項１に記載のインクジェットインク組成物。
【請求項１１】
前記インクジェットペンが、交換することなく、少なくとも１億回噴射させることができる、請求項１０に記載のインクジェットインク組成物。
【請求項１２】
前記インクジェットペンが交換可能である、請求項１０に記載のインクジェットインク組成物。
【請求項１３】
前記少なくとも１つの着色剤が、染料及び顔料とから成る群から選択される、請求項１に記載のインクジェットインク組成物。
【請求項１４】
前記水性ビヒクルが、少なくとも１つのキレート化剤をさらに含有する、請求項１に記載のインクジェットインク組成物。
【請求項１５】
前記少なくとも１つのキレート化剤が、単純金属キレート化剤及び有機金属キレート化剤から成る群から選択される、請求項１４に記載のインクジェットインク組成物。
【請求項１６】
前記単純金属キレート化剤が、エチレンジアミン四酢酸（ＥＤＴＡ）、ジエチレントリアミンペンタ酢酸（ＤＴＰＡ）、トランス-1,2-ジアミノシクロヘキサン四酢酸（ＣＤＴＡ）、（エチレンジオキシ）ジエチレンジニトリロ四酢酸（ＥＧＴＡ）、マロン酸、及びサリチル酸から成る群から選択される、請求項１５に記載のインクジェットインク組成物。
【請求項１７】
前記有機金属キレート化剤が、2,6-ピリジンジカルボン酸、1,2-ピリジルアゾ-2-ナフトール及びピロカテコールバイオレットから成る群から選択される、請求項１５に記載のインクジェットインク組成物。
【請求項１８】
前記少なくとも１つのキレート化剤が、前記インク組成物の0.1〜1重量％である、請求項１５に記載のインクジェットインク組成物。
【請求項１９】
インクを吐出するステップを包含するインクジェット印刷の方法であって、前記インクが、
少なくとも１つの着色剤；及び
水性ビヒクル
を含んで成るインク組成物であり、
前記ビヒクルは、前記組成物がインクジェットペンに用いられる時、インクジェットペンの抵抗体表面の外側層に保護薄層を形成する十分な量で少なくとも１つの耐火性金属−又は貴金属−反応成分を含有し、前記外側層は耐火性金属又は貴金属を含み、前記耐火性金属又は貴金属は、チタン、ジルコニウム、ハフニウム、バナジウム、ニオブ、タンタル、クロム、モリブデン、タングステン、金、銀及び白金から成る群から選択される、インクジェット印刷の方法。
【請求項２０】
前記少なくとも１つの耐火性金属−又は貴金属−反応成分が、リン酸エステルを含有する、請求項１９に記載のインクジェット印刷の方法。
【請求項２１】
前記リン酸エステルが、次の構造：
（ＲＥｘ）ｙＰＯ（４−ｙ）Ｈ（３−ｙ）
〔式中、Ｒは少なくとも８個の炭素を有する分枝炭化水素、非分枝炭化水素、又は過フルオロ化炭化水素であり；Ｅはエトキシ基(-CH２CH２O-)であり；ｘは０か又は０より大きい整数であり；及びｙは１から３の整数である〕を有する、請求項２０に記載のインクジェット印刷の方法。
【請求項２２】
前記リン酸エステルが、前記インク組成物の0.1〜3重量％である、請求項２０に記載のインクジェット印刷の方法。
【請求項２３】
前記リン酸エステルが、前記インク組成物の0.2〜0.5重量％である、請求項２２に記載のインクジェット印刷の方法。
【請求項２４】
前記リン酸エステルが、前記インク組成物の0.5〜3重量％である、請求項２２に記載のインクジェット印刷の方法。
【請求項２５】
前記抵抗体表面の外側層を被覆する前記耐火性金属又は貴金属が、タンタルである、請求項１９に記載のインクジェット印刷の方法。
【請求項２６】
前記インクジェットペンが、1〜10ピコリットルの最小液滴容積範囲を有する、請求項１９記載のインクジェット印刷の方法。
【請求項２７】
前記インクジェットペンが、3〜6ピコリットルの最小液滴容積範囲を有する、請求項２６に記載のインクジェット印刷の方法。
【請求項２８】
前記インクジェットペンが、交換することなく、少なくとも５千万回噴射させることができる、請求項１９に記載のインクジェット印刷の方法。
【請求項２９】
前記インクジェットペンが、交換することなく、少なくとも１億回噴射させることができる、請求項２８に記載のインクジェット印刷の方法。
【請求項３０】
前記インクジェットペンが、交換可能である、請求項２８に記載のインクジェット印刷の方法。
【請求項３１】
前記少なくとも１つの着色剤が、染料及び顔料とから成る群から選択される、請求項１９に記載のインクジェット印刷の方法。
【請求項３２】
前記水性ビヒクルが、少なくとも１つのキレート化剤をさらに含有する、請求項１９に記載のインクジェット印刷の方法。
【請求項３３】
前記少なくとも１つのキレート化剤が、単純金属キレート化剤及び有機金属キレート化剤から成る群から選択される、請求項３２に記載のインクジェット印刷の方法。
【請求項３４】
前記単純金属キレート化剤が、エチレンジアミン四酢酸（ＥＤＴＡ）、ジエチレントリアミンペンタ酢酸（ＤＴＰＡ）、トランス-1,2-ジアミノシクロヘキサン四酢酸（ＣＤＴＡ）、（エチレンジオキシ）ジエチレンジニトリロ四酢酸（ＥＧＴＡ）、マロン酸、及びサリチル酸から成る群から選択される、請求項３３に記載のインクジェット印刷の方法。
【請求項３５】
前記有機金属キレート化剤が、2,6-ピリジンジカルボン酸、1,2-ピリジルアゾ-2-ナフトール及びピロカテコールバイオレットから成る群から選択される、請求項３３に記載のインクジェット印刷の方法。
【請求項３６】
前記少なくとも１つのキレート化剤が、前記インク組成物の0.1〜1重量％である、請求項３２に記載のインクジェット印刷の方法。
【手続補正２】
【補正対象書類名】明細書
【補正対象項目名】０００９
【補正方法】変更
【補正の内容】
【０００９】
オキシアニオン、特にリン酸塩によって、コゲーションが低減されることは、これまでに開示されている。そのメカニズムは、当該付加物が抵抗体上への染料及び／又は分解生成物の吸着を排除あるいは低減させることに起因するものと考えられた。さらに、コゲーション抑制に関して開示されたリン酸エステルは、短鎖リン酸エステルであって、本発明におけるような長鎖の、界面活性リン酸エステルではない。また、メタンスルホン酸ナトリウム、及び胆汁酸塩（例えば、コール酸ナトリウム）添加物などの、有機酸スルホン酸塩を、コゲーションの低減に使用することができる、ということも開示されている。コゲーションの抑制を達成するその他の開示された方法は、例えば、インクジェットインク組成物においてカチオン錯体を形成する大環式ポリエーテル；インク泡からリン酸塩帯電防止材料を除去するイソプロパノール／水洗浄；及びインクジェットペンのチャンネルに圧力を加えたり、あるいは抵抗体を乾式噴射する等の種々の機械的手段によるコガの除去である。近年、インクジェット加熱ヘッドの表面上の異物の堆積を減らすのに、インクジェットインク中のフィチン酸が使用され得る、ということが開示された。